(57)【要約】【課題】  本発明の目的は、不特定多数が利用可能な機器を利用して、フィンガープリントとアドレスを同時に収集し、それを介してラジオマップを構築することができるアドレスとフィンガープリントの連携方法及び連携サーバーを提供することにある。【解決手段】  本発明の一態様によるアドレスとフィンガープリントの連携方法は、アドレスと無線ＬＡＮフィンガープリントを含む収集情報を受信するステップと、受信された収集情報を格納するステップと、アドレス別格納された複数の収集情報を隣接したアドレスの複数の収集情報に基づいてフィルタリングするステップと、アドレス別フィルタリングされた収集情報を用いてラジオマップを構築するステップと、を備える。【選択図】        図２
2021513659.tif 000002
【特許請求の範囲】
【請求項１】
配達又は配送のために、ユーザーから入力されたアドレスと前記アドレスの入力時に収集された無線ＬＡＮフィンガープリントを含む収集情報を受信するステップと、
前記受信された収集情報のアドレスと無線ＬＡＮフィンガープリントをマッチングさせて格納するステップと、
格納された複数の収集情報をフィルタリングするステップと、
前記フィルタリングされた収集情報を用いてラジオマップを構築するステップと、を備え、
前記ラジオマップは、各エントリにアドレス又は位置と無線ＬＡＮフィンガープリントとのペアを有するデータベースであり、
前記フィルタリングは、
前記マッチングされたアドレスが互いに隣接する無線ＬＡＮフィンガープリントの間を比較した類似度に基づいて遂行される、
アドレスとフィンガープリントの連携方法。
【請求項２】
前記受信された収集情報の無線ＬＡＮフィンガープリントは、無線ＬＡＮ識別子と無線ＬＡＮ信号強度とのペアを１つ以上含む、
請求項１に記載のアドレスとフィンガープリントの連携方法。
【請求項３】
前記受信された収集情報は、ユーザー端末に設置されるオンラインショッピングアプリ又は配送アプリから受信され、
前記オンラインショッピングアプリ又は配送アプリは、ユーザーからのアドレス入力の受信前、受信後又は受信前後の指定された時間のうち、１つ以上の無線ＬＡＮの識別子と無線ＬＡＮ信号強度とのペアを収集する、
請求項２に記載のアドレスとフィンガープリントの連携方法。
【請求項４】
前記フィルタリングするステップでは、
前記マッチングされたアドレスと無線ＬＡＮフィンガープリントとの間の連結性指数を算出し、前記連結性指数に基づいてフィルタリングし、
前記類似度が高いほど、連結性指数が増加し、前記類似度が低いほど連結性指数が低くなる、
請求項１に記載のアドレスとフィンガープリントの連携方法。
【請求項５】
前記フィルタリングするステップでは、
前記マッチングされたアドレスと無線ＬＡＮフィンガープリントとの間の連結性指数を算出し、前記連結性指数に基づいてフィルタリングし、
前記マッチングされたアドレスが互いに隣接する無線ＬＡＮフィンガープリントの間に共通する無線ＬＡＮ識別子が存在する場合、前記連結性指数を増加させ、
前記マッチングされたアドレスが互いに隣接する無線ＬＡＮフィンガープリントの間に共通する無線ＬＡＮ識別子が存在しない場合、前記連結性指数を減少させる、
請求項１に記載のアドレスとフィンガープリントの連携方法。
【請求項６】
前記ラジオマップの構築ステップでは、アドレス別最高の連結性指数を有する無線ＬＡＮフィンガープリントを、前記アドレス又は前記アドレスに対応する位置にラベリングして、前記ラジオマップに格納する、
請求項４又は請求項５に記載のアドレスとフィンガープリントの連携方法。
【請求項７】
前記ラジオマップの構築ステップ後に、無線ＬＡＮフィンガープリントを含む処理要請を受信するステップと、
前記ラジオマップを用いて前記無線ＬＡＮフィンガープリントの対応位置を推定するステップと、
推定された位置に基づいて前記処理要請を認証するステップと、をさらに備える、
請求項１に記載のアドレスとフィンガープリントの連携方法。
【請求項８】
前記フィルタリングのステップは、
前記収集情報に含まれる収集時刻情報をさらに利用して前記連結性指数を算出する、
請求項４又は請求項５に記載のアドレスとフィンガープリントの連携方法。
【請求項９】
配達又は配送のために、ユーザーから入力されたアドレスと前記アドレスの入力時に収集された無線ＬＡＮフィンガープリントを含む収集情報を受信する通信ユニットと、
前記受信された収集情報のアドレスと無線ＬＡＮフィンガープリントをマッチングさせて格納する格納ユニットと、
格納された複数の収集情報をフィルタリングし、前記フィルタリングされた収集情報を利用して、ラジオマップを構築する制御ユニットと、を備え、
前記ラジオマップは、各エントリにアドレス又は位置と無線ＬＡＮフィンガープリントとのペアを有するデータベースであり、
前記フィルタリングは、
前記マッチングされたアドレスが互いに隣接する無線ＬＡＮフィンガープリントの間を比較した類似度に基づいて遂行される、
アドレスとフィンガープリントの連携サーバー。
【請求項１０】
前記受信された収集情報の無線ＬＡＮフィンガープリントは、無線ＬＡＮ識別子と無線ＬＡＮ信号強度とのペアを１つ以上含む、
請求項９に記載のアドレスとフィンガープリントの連結サーバー。
【請求項１１】
前記制御ユニットは、前記マッチングされたアドレスと無線ＬＡＮフィンガープリントとの間の連結性指数を算出し、前記連結性指数に基づいてフィルタリングすし、前記類似度が高いほど連結性指数が増加し、前記類似度が低いほど連結性指数が低くなる、
請求項１０に記載のアドレスとフィンガープリントの連携サーバー。
【請求項１２】
前記制御ユニットは、住所別最高の連結性指数を有する無線ＬＡＮフィンガープリントを、前記アドレス又は前記アドレスに対応する位置にラベリングして前記ラジオマップに格納する、
請求項１１に記載のアドレスとフィンガープリントの連携サーバー。
【請求項１３】
前記制御ユニットは、前記マッチングされたアドレスと無線ＬＡＮフィンガープリントとの間の連結性指数を算出し、前記連結性指数に基づいてフィルタリングし、
前記マッチングされたアドレスが互いに隣接する無線ＬＡＮフィンガープリントの間に共通する無線ＬＡＮ識別子が存在する場合、前記連結性指数を増加させ、前記マッチングされたアドレスが互いに隣接する無線ＬＡＮフィンガープリントの間に共通する無線ＬＡＮ識別子が存在しない場合、連結性指数を減少させる、
請求項１０に記載のアドレスとフィンガープリントの連携サーバー。
【請求項１４】
前記制御ユニットは、ラジオマップの構築後に、無線ＬＡＮフィンガープリントを含む処理要請を通信ユニットを介して受信して構築された、前記ラジオマップを用いて前記無線ＬＡＮフィンガープリントの対応位置を推定し、推定された位置に基づいて前記処理要請を認証する、
請求項１０に記載のアドレスとフィンガープリントの連携サーバー。
【発明の詳細な説明】
【技術分野】
【０００１】
本発明は、アドレスとフィンガープリントの連携方法及び連携サーバーに関し、具体的には、不特定多数からフィンガープリントとアドレスを同時に収集し、収集されたフィンガープリントとアドレスの連結特性に応じてアドレスにフィンガープリントをラベリングできるようするアドレスとフィンガープリントの連携方法及び連携サーバーに関する。
【背景技術】
【０００２】
アドレスと無線ＬＡＮフィンガープリントの連携情報は、都市、国などのような大規模な地域での無線ＬＡＮ信号を活用した屋内位置認識において重要である。アドレスと無線ＬＡＮフィンガープリントの連携情報は、大規模な地域を対象とした正確度の高い室内位置認識システムの基盤となる都市や国のラジオマップ構築において必ず必要な情報であるからである。無線ＬＡＮフィンガープリントと連携された位置情報を含んでいるデータベースに基づいて、室内の位置を推定すれば基地局ベースの位置認識やＧＰＳベースの位置認識技法に比べてはるかに高い正確度で、室内の位置を推定することができる。
【０００３】
アドレスと無線ＬＡＮフィンガープリントを連携させるデータベースの構築に多様な技法が提案されてきた。既存の提案技法は、アドレス情報を事前に与えられると仮定して、与えられたアドレスにおいてスマートフォンや固定された機器を使用して収集された無線ＬＡＮフィンガープリントを連携させる技法が主流であった。その結果、信号収集の主体とアドレス情報取得の主体が互いに分離されて提案された技法の実現が円滑に行われない問題が発生した。
【０００４】
したがって、フィンガープリントの収集とともにアドレス情報も同時に収集することができれば、無線ＬＡＮ信号収集の主体とアドレス情報取得の主体の分離の問題から抜け出して、アドレスベースのラジオマップをさらに迅速に構築することができる。
【０００５】
一方、アドレスとフィンガープリントの同時収集のとき、多様な考慮事項が存在することができる。例えば、収集されたフィンガープリントに連携されたアドレスが、フィンガープリントが収集された位置に対応するアドレスか否かを判定する必要性が存在する。もし、実際の収集位置に対応するアドレスではないアドレスが収集される場合、これをフィルタリングすることができる方案が必要である。
【０００６】
述べたように、既存のアドレスとフィンガープリントの連携方案の限界を克服することができるアドレスとフィンガープリントの連携方法及び連携サーバーが必要である。
【発明の概要】
【発明が解決しようとする課題】
【０００７】
本発明は、上述した問題点に鑑みてなされたものであって、本発明の目的は、不特定多数が利用可能な機器を利用して、フィンガープリントとアドレスを同時に収集し、それを介してラジオマップを構築することができるアドレスとフィンガープリントの連携方法及び連携サーバーを提供することにある。
【０００８】
なお、本発明の目的は、任意の機器から同時に収集された多数のアドレスと連携されたフィンガープリントを活用して収集されたフィンガープリントをフィルタリングし、フィルタリングされたフィンガープリントとアドレスに基づいて、信頼性の高いラジオマップの構築できるようにするアドレスとフィンガープリントの連携方法及び連携サーバーを提供することにある。
【０００９】
なお、本発明の目的は、商品取引や決済においてフィンガープリントの収集位置の認識を介して不正なトランザクションを探知できるようするアドレスとフィンガープリントの連携方法及び連携サーバーを提供することにある。
【００１０】
本発明で解決しようとする技術的課題は、以上で言及した技術的課題に限定されず、言及していないもう一つの技術的課題は、下の記載から、本発明が属する技術分野における通常の知識を有する者に明確に理解されるであろう。
【課題を解決するための手段】
【００１１】
本発明の一態様によるアドレスとフィンガープリントの連携方法は、アドレス及び無線ＬＡＮフィンガープリントを含む収集情報を受信するステップと、受信された収集情報を格納するステップと、アドレス別格納された複数の収集情報を隣接したアドレスの複数の収集情報に基づいてフィルタリングするステップと、アドレス別フィルタリングされた収集情報を利用してラジオマップを構築するステップと、を備える。
【００１２】
前記したアドレスとフィンガープリントの連携方法であって、前記収集情報のアドレスは、ユーザー端末の入力によって決定されるアドレスであり、前記無線ＬＡＮフィンガープリントは、前記アドレスの入力時に収集される無線ＬＡＮ識別子と無線ＬＡＮ信号強度とのペアを１つ以上含む。
【００１３】
前記したアドレスとフィンガープリントの連携方法であって、前記収集情報は、前記ユーザー端末に設置されるオンラインショッピングアプリ又は配送アプリから受信され、前記オンラインショッピングアプリ又は配送アプリは、ユーザーからのアドレス入力を受信する前、受信した後、又は受信する前後に１つ以上の無線ＬＡＮ識別子と無線ＬＡＮ信号強度とのペアを収集する。
【００１４】
前記したアドレスとフィンガープリントの連携方法であって、前記フィルタリングステップは、アドレス別複数の収集情報の無線ＬＡＮフィンガープリントに対応する前記アドレスへの連結性指数を、隣接したアドレスの複数の収集情報の無線ＬＡＮフィンガープリントを利用して算出する。
【００１５】
前記したアドレスとフィンガープリントの連携方法であって、前記フィルタリングステップは、アドレス別複数の収集情報の無線ＬＡＮフィンガープリントに対応するアドレスへの連結性指数を、同一のアドレスの他の情報収集の無線ＬＡＮフィンガープリントをさらに利用して算出する。
【００１６】
前記したアドレスとフィンガープリントの連携方法であって、前記ラジオマップの構築ステップは、アドレス別最高の連結性指数を有する無線ＬＡＮフィンガープリントを前記アドレスにラベリングしてデータベースに格納する。
【００１７】
前記したアドレスとフィンガープリントの連携方法であって、前記フィルタリングステップは、連結性指数算出のために、アドレス別それぞれの無線ＬＡＮフィンガープリントと隣接したアドレスの複数の収集情報のそれぞれの無線ＬＡＮフィンガープリントとの無線ＬＡＮ識別子をそれぞれ比較して、共通の無線ＬＡＮ識別子が存在する場合に連結性指数を増加させ、共通の無線ＬＡＮ識別子が存在しない場合に連結性指数を減少させる。
【００１８】
前記したアドレスとフィンガープリントの連携方法であって、前記ラジオマップの構築ステップ後に、無線ＬＡＮフィンガープリントを含む処理要請を受信するステップと、前記ラジオマップを用いて前記無線ＬＡＮフィンガープリントの対応位置を推定するステップと、推定された位置に基づいて前記処理要請を認証するステップと、をさらに備える。
【００１９】
前記したアドレスとフィンガープリントの連携方法であって、前記フィルタリングステップは、アドレス別収集情報に含まれる収集時刻情報をさらに利用して無線ＬＡＮフィンガープリントの連結性指数を算出する。
【００２０】
本発明の一態様によるアドレスとフィンガープリントの連携サーバーは、アドレスと無線ＬＡＮフィンガープリントを含む収集情報を受信する通信ユニットと、受信された収集情報を格納する格納ユニットと、アドレス別格納された複数の収集情報を隣接したアドレスの複数の収集情報に基づいてフィルタリングし、アドレス別フィルタリングされた収集情報を利用してラジオマップを構築する制御ユニットと、を備える。
【００２１】
前記したアドレスとフィンガープリントの連携サーバーであって、前記収集情報のアドレスは、ユーザー端末の入力によって決定されるアドレスであり、前記無線ＬＡＮフィンガープリントは、前記アドレスの入力時に収集される無線ＬＡＮ識別子と無線ＬＡＮ信号強度とのペアを１つ以上含む。
【００２２】
前記したアドレスとフィンガープリント連携サーバーであって、前記制御ユニットは、複数の収集情報をフィルタリングするためには、アドレス別複数の収集情報の無線ＬＡＮフィンガープリントと対応する前記アドレスへの連結性指数を、隣接したアドレスの複数の収集情報の無線ＬＡＮフィンガープリント、及び同一のアドレスの他の情報収集の無線ＬＡＮフィンガープリントを用いて算出する。
【００２３】
前記したアドレスとフィンガープリント連携サーバーであって、前記制御ユニットは、ラジオマップを構築するために、アドレス別最高の連結性指数を有する無線ＬＡＮフィンガープリントを、前記アドレスにラベリングしてデータベースに格納する。
【００２４】
前記したアドレスとフィンガープリント連携サーバーであって、前記制御ユニットは、連結性指数の算出のために、アドレス別それぞれの無線ＬＡＮフィンガープリント、隣接したアドレスの複数の収集情報のそれぞれの無線ＬＡＮフィンガープリント、及び同一のアドレスの他の収集情報のそれぞれの無線ＬＡＮフィンガープリントの無線ＬＡＮ識別子をそれぞれ比較して、共通の無線ＬＡＮ識別子が存在する場合に連結性指数を増加させ、共通の無線ＬＡＮ識別子が存在しない場合に連結性指数を減少させる。
【００２５】
前記したアドレスとフィンガープリント連携サーバーであって、前記制御ユニットは、ラジオマップの構築後に、無線ＬＡＮフィンガープリントを含む処理要請を通信ユニットを介して受信し、構築された前記ラジオマップを用いて前記無線ＬＡＮフィンガープリントの対応位置を推定し、推定された位置に基づいて前記処理要請を認証する。
【００２６】
本発明の一態様によるアドレスとフィンガープリントの連携方法は、ユーザー端末に設置されているアプリから配達又は配送のために、ユーザーから入力されたアドレスと前記アドレスの入力時に収集された無線ＬＡＮフィンガープリントを受信し、前記受信されたアドレスと無線ＬＡＮフィンガープリントを含む収集情報をフィルタリングし、フィルタリングされた収集情報を用いてラジオマップを構築することを特徴とする。
【００２７】
前記したアドレスとフィンガープリントの連携方法であって、前記アプリは、オンラインショッピングアプリ又は配送アプリであり得る。
【００２８】
前記したアドレスとフィンガープリントの連携方法であって、前記フィルタリングは、アドレス別収集情報の無線ＬＡＮフィンガープリントと隣接したアドレスの無線ＬＡＮフィンガープリントとを比較して、その類似度に基づいて遂行され得る。
【発明の効果】
【００２９】
前記のような本発明によるアドレスとフィンガープリントの連携方法及び連携サーバーは、不特定多数が活用可能な機器を用いてフィンガープリントとアドレスを同時に収集し、それを介してラジオマップを構築できる効果がある。
【００３０】
なお、前記のような本発明によるアドレスとフィンガープリントの連携方法及び連携サーバーは、任意の機器から同時に収集された多数のアドレスと連携されたフィンガープリントをフィルタリングし、フィルタリングされたフィンガープリントとアドレスに基づいて、信頼性の高いラジオマップを構築できるようにする効果がある。
【００３１】
なお、前記のような本発明によるアドレスとフィンガープリントの連携方法及び連携サーバーは、商品取引や決済においてフィンガープリントの収集位置の認識を介して不正なトランザクションを探知できるようにする効果がある。
【００３２】
本発明で得られる効果は、以上で言及した効果に限定されず、言及していないもう一つの効果は、以下の記載から本発明が属する技術分野における通常の知識を有する者に明確に理解されるであろう。
【図面の簡単な説明】
【００３３】
【図１】アドレス-フィンガープリントの連携システムに構成される装置間の連結構成の例を示す図である。
【図２】アドレス-フィンガープリントの連携サーバーの例としてのブロック図を示す図である。
【図３】収集された無線ＬＡＮフィンガープリントとアドレスの連携に基づいてラジオマップを構築する例としての制御フローを示す図である。
【図４】構築されたラジオマップを利用する１つのアプリケーションの例としての制御フローを示す図である。
【図５】連結性指数を算出するための単純化された例としてのアルゴリズムを示す図である。
【発明を実施するための形態】
【００３４】
上述した目的、特徴及び利点は、添付された図面を参照して、詳しく後述されている詳細な説明を通してさらに明確になるはずであり、それに応じて、本発明が属する技術分野における通常の知識を有する者が本発明の技術的思想を容易に実施することができるだろう。また、本発明を説明するにあたって、本発明に関連された公知技術に対する具体的な説明が本発明の要旨を不必要に曖昧にすることができると判定される場合に、その詳しい説明を省略することにする。以下、添付された図面を参照して、本発明による好適な実施形態を詳しく説明することにする。
【００３５】
図１は、アドレス-フィンガープリントの連携システムに構成される装置間の連結構成の例を示す図である。
【００３６】
図１の例のようにアドレス-フィンガープリントの連携システムは、複数のユーザー端末１００、及びアドレスとフィンガープリントの連携サーバー２００を含み、ユーザー端末１００と連携サーバー２００は、インターネットを通じて互いに連結される。
【００３７】
図１のコンポーネントを簡単に見ると、ユーザー端末１００は、一般的なユーザーが利用可能な端末である。ユーザー端末１００は、例えば、スマートフォン、ノートＰＣ、タブレットＰＣ、パーソナルコンピュータなどであり得る。
【００３８】
ユーザー端末１００は、インターネットを通じて各種のサーバーにアクセスすることができ、サーバーを介して多様なウェブページをブラウジングしたり、サービスを要請したり受けたりすることができる。ユーザー端末１００は、不揮発性メモリを備え、そのメモリにサーバーに接続して各種の処理を遂行するアプリを１つ以上含み得る。たとえば、ユーザー端末１００は、オンラインショッピングアプリ、配送アプリ（配達アプリ）などを備えてオンラインショッピングをしたり、注文された物品を配送できたりするように構成される。
【００３９】
ユーザー端末１００は、格納されているアプリを駆動して指定したサーバー（例えば、オンラインショッピングの提供サーバー）に連結され、連結されたサーバーに各種のサービス要請を処理することができる。オンラインショッピングアプリや配送アプリ（配達アプリ）などのような物品の注文と配送を要求するアプリは、駆動時に、なお連携サーバー２００に連結されるように好ましく構成される。この連携サーバー２００は、指定されたサービスを提供する同一のサーバー又は別のサーバーであり得る。
【００４０】
アプリを駆動するユーザー端末１００は、配送などが行われるアドレスを入力インターフェースを介してユーザー入力から受信する。ここでのユーザー入力は、ユーザーの直接入力とともに既格納されたアドレスに対する選択やサーバーが推薦するアドレスの選択であり、入力するプロセスの一部又は全部を遂行することを含み得る。たとえば、アドレスは、棟号数又は号室などの情報までを含み得る。
【００４１】
通常、配送又は配達のためのアドレスは、成功的な配送や配達のために、正確かつ慎重に入力されるため、そのアドレス情報の信頼性、正確度及び精度の高い利点がある。
【００４２】
なお、アプリを駆動するユーザー端末１００は、アドレス入力時に無線ＬＡＮフィンガープリントを収集するように構成される。たとえば、ユーザー端末１００は、アドレスの入力前、入力後、又は入力前後の一定時間の間（例えば、１分、３０秒、１０秒など）ユーザー端末１００に備えられた無線ＬＡＮインターフェースを活性化させ、無線ＬＡＮインターフェースを介して無線ＬＡＮフィンガープリントを収集する。
【００４３】
無線ＬＡＮフィンガープリントは、無線ＡＰなどから出力される無線ＬＡＮ信号から獲得可能である。無線ＬＡＮフィンガープリントは、無線ＬＡＮ識別子と無線ＬＡＮ信号の信号強度とのペアを１つ以上含む。一定時間の間に無線ＬＡＮフィンガープリントが収集されるのに、ユーザー端末１００が認識可能な１つ以上（複数）の無線ＬＡＮ識別子と無線ＬＡＮ信号の強度とのペアが収集可能である。無線ＬＡＮ識別子は、例えば、ＳＳＩＤ（Service Set Identifier）、ＢＳＳＩＤ（Basic Service
Set Identifier）等であり得る。無線ＬＡＮフィンガープリントの収集は、ユーザー端末１００から提供されているオペレーティングシステムのＡＰＩを介して行われ得る。
【００４４】
このように、ユーザー端末１００は、アドレス入力を要求するアプリを備えて、このアプリを使用したアドレス入力時に、さらにアドレス入力を介したサービス要請時に、アドレスだけでなく、無線ＬＡＮフィンガープリントを収集してアドレスと無線ＬＡＮのフィンガープリントを含む収集情報を構成し、これを連携サーバー２００に伝送できるように構成される。
【００４５】
連携サーバー２００は、１つ以上のユーザー端末１００に連結され、１つ以上のユーザー端末１００から収集される情報を用いて、アドレスと無線ＬＡＮフィンガープリントを連携（ラベリング）する。連携サーバー２００は、ユーザー端末１００からの収集されるアドレスと無線ＬＡＮフィンガープリントを利用して、ラジオマップを構築するように構成される。
【００４６】
連携サーバー２００に対しては、以下の図２で詳しくみることにする。
【００４７】
インターネットは、ＩＰベースのコンピュータネットワークとしてＩＰアドレスに基づいて各種の機器（端末）を相互に連結して各種のデータを送受信することができる。インターネットには、多様なサーバーが連結される。
【００４８】
図１ではアドレス-フィンガープリントの連携システムに必要な主要コンポーネントを示しているが、その他のコンポーネントが連携システム内にさらに含まれる可能性もある。例えば、構築されたラジオマップを活用して、位置ベースのサービスを提供することができるサーバーなどをさらに含み得る。このようなサーバーは、ラジオマップを利用した道案内サービスをユーザー端末１００に提供したり、ラジオマップに基づいて各種のサービスの処理をユーザーに提供したりすることができる。
【００４９】
その中で、任意のサーバーは、認識されたアドレス（位置）に基づいて不正トランザクションを検出することができる。たとえば、特定のサーバーは、オンライン商品取引や決済などにおいてアドレス（位置）認識に基づいて、トランザクションが発生したアドレス（位置）を認証することができ、それに応じて、安全な商品取引や決済処理を行うことができるようにする。不正なトランザクションの検出のため、本発明に基づいて構築されるラジオマップが好ましく用いられる。図４で不正なトランザクションを活用するアプリケーションの例をもう少し見ることにする。
【００５０】
図２は、アドレス-フィンガープリントの連携サーバー２００の例としてのブロック図を示す図である。
【００５１】
図２によると、連携サーバー２００は、通信ユニット２１０、格納ユニット２３０、連結ユニット２５０、及び制御ユニット２７０を含む。図２は、好ましくは、機能ブロック図を示し、各機能ブロックは対応するハードウェアブロックを備える。図２の連携サーバー２００は、多様なハードウェアを利用して構成され得る。例えば、連携サーバー２００は、１つ以上のＰＣ、ワークステーション、及び/又はメインフレームなどを利用して構成され得る。図２に示されていない他のブロックが設計変形に応じて、このブロック図にさらに含まれる可能性もある。
【００５２】
図２の連携サーバー２００は、独立して動作する別のサーバーで構成されたり、他のサーバー（オンラインショッピング、配送など）内に一部の機能として内蔵されたりする可能性もある。
【００５３】
図２を介して連携サーバー２００を見ると、通信ユニット２１０は、インターネットを通じて各種のデータを送受信する。通信ユニット２１０は、備えられた有線ＬＡＮインターフェースなどを介してインターネットに連結されて各種のデータや要請を示す通信パケットを受信し、受信した通信パケットに対応した応答パケットなどをインターネットを通じて出力することができる。
【００５４】
例えば、通信ユニット２１０は、インターネットを通じてユーザー端末１００から収集情報を受信し、受信される収集情報は、アドレスと無線ＬＡＮフィンガープリントを含む。アドレスは、ユーザー端末１００のユーザー入力に基づいて決定されるアドレスであり、無線ＬＡＮフィンガープリントは、アドレス入力時に収集される無線ＬＡＮ識別子と無線ＬＡＮ信号強度とのペアを１つ以上含む。
【００５５】
なお、通信ユニット２１０は、ラジオマップの構築後に、無線ＬＡＮフィンガープリントを含む処理要請を、インターネットを通じてユーザー端末１００から直接又は他のサーバーから受信し、これを制御ユニット２７０に伝達することができる。
【００５６】
格納ユニット２３０は、各種のデータとプログラムを格納する。格納ユニット２３０は、ハードディスクなどのような大容量のストレージ媒体を備えて各種のデータとプログラムを格納する。格納ユニット２３０は、備えられた１つ以上のハードディスクを活用してデータベースを構成することができる。
【００５７】
格納ユニット２３０に格納されている各種データを見ると、格納ユニット２３０は、通信ユニット２１０を介して受信された収集情報を格納する。格納ユニット２３０は、収集情報の無線ＬＡＮフィンガープリント、収集時刻、さらにユーザー端末１００の端末ＩＤ及び/又はユーザーＩＤを収集アドレスにマッチングさせて格納する。それぞれのアドレスにマッチングされる収集情報（無線ＬＡＮフィンガープリント、さらに収集時刻、ユーザー端末１００の端末ＩＤ及び/又はユーザーＩＤ）は、複数個格納され得る。
【００５８】
なお、格納ユニット２３０は、収集情報を活用して構築されるラジオマップを格納する。ラジオマップは、特定の地域を対象に構築されて位置（又は位置に対応するアドレス）に対応してラベリングされた無線ＬＡＮフィンガープリントをデータベースの形態として構成される。それぞれの位置（アドレス）にラベリングされる無線ＬＡＮフィンガープリントは、不特定のユーザー端末１００から受信される収集情報を利用して構成される。
【００５９】
なお、格納ユニット２３０は、制御ユニット２７０で利用可能な各種のプログラムを格納する。例えば、格納ユニット２３０は、収集情報からラジオマップの構築のための制御プログラムを格納することができる。この制御プログラムは、連結性指数の算出のためのアルゴリズムを実装し、ラジオマップを構築することができる。
【００６０】
連結ユニット２５０は、連携サーバー２００内のブロック間のデータを送受信する。連結ユニット２５０は、近距離ネットワーク、並列バス、シリアルバスなどを利用して構成される。
【００６１】
制御ユニット２７０は、１つ以上の実行ユニットを備えて格納ユニット２３０に格納されているプログラムをローディングし、実行ユニットを介してプログラムの命令語コードを実行して連携サーバー２００を制御する。
【００６２】
制御ユニット２７０で遂行される１つの制御例を見ると、制御ユニット２７０は、任意のユーザー端末１００から収集情報を通信ユニット２１０を介して受信し、これを格納ユニット２３０に格納する。例えば、制御ユニット２７０は、収集情報のアドレスに対応する収集リストに収集アイテムを生成し、生成された収集アイテムに無線ＬＡＮフィンガープリント、さらに収集時刻、端末ＩＤ、及び/又はユーザーＩＤを含めて格納する。これにより、それぞれのアドレス別収集リストには、多数の収集アイテムを含み得る。
【００６３】
制御ユニット２７０は、アドレス別に格納されている複数の収集情報を隣接したアドレスの収集情報を利用してフィルタリングし、フィルタリングされた収集情報を利用して、ラジオマップを構築する。
【００６４】
制御ユニット２７０は、それぞれのアドレス別に収集された収集情報（アイテム）について、隣接したアドレスの収集情報（アイテム）と同一のアドレス内の他の収集情報（アイテム）を利用して、各収集情報への対応アドレスの連結性指数を算出し、算出された連結性指数に基づいて収集情報をフィルタリングする。
【００６５】
連結性指数の算出のための一例として、制御ユニット２７０は、アドレス別収集情報（アイテム）の無線ＬＡＮフィンガープリントと隣接したアドレスの収集情報（アイテム）の無線ＬＡＮフィンガープリントと、をそれぞれ比較して互いに共通する無線ＬＡＮの識別子が存在する場合には、該当する無線ＬＡＮフィンガープリントの連結性指数を指定された数だけ（例えば、１）増加させ、無線ＬＡＮ識別子が存在しない場合には、連結性指数を指定された数だけ減少させる。
【００６６】
これにより、現在の連結性指数が算出されている該当する無線ＬＡＮフィンガープリントが、他の隣接した無線ＬＡＮフィンガープリントと類似度が高いほど、連結性指数が増加し、他の隣接した無線ＬＡＮフィンガープリントと類似度が低いほど、連結性指数が低くなれる。
【００６７】
特定のアドレスにマッピングされている個々の収集情報（アイテム）に対し個別にその連結性指数が算出される場合があり、それぞれの収集情報別にアドレスと無線ＬＡＮフィンガープリントとの間の連結程度を他の無線ＬＡＮフィンガープリントを活用して決定することができる。
【００６８】
なお、制御ユニット２７０は、アドレス別収集情報（アイテム）の無線ＬＡＮフィンガープリントと同一のアドレス（収集リスト）の他の収集情報（アイテム）の無線ＬＡＮフィンガープリントと、をそれぞれ比較して互いに共通する無線ＬＡＮ識別子が存在する場合に、無線ＬＡＮのフィンガープリントの連結性指数を指定された数だけ（例えば、１）増加させ、共通の無線ＬＡＮ識別子が存在しない場合に、連結性指数を指定された数だけ減少させる。このような過程を介して隣接したアドレス間の無線ＬＡＮフィンガープリント間の類似性だけでなく、同一のアドレスで収集された無線ＬＡＮフィンガープリントの類似性に基づいて連結性指数を算出することができる。
【００６９】
制御ユニット２７０は、同一のアドレスだけでなく、隣接したアドレスの無線ＬＡＮフィンガープリントとの共通する無線ＬＡＮ識別子が存在する回数だけに比例する、連結性指数を各無線ＬＡＮフィンガープリントに対して算出することができる。
【００７０】
制御ユニット２７０は、他の要素をもっと反映して連結性指数を算出することもできる。例えば、制御ユニット２７０は、収集時刻に重み値を付与して連結性指数を算出したり、端末ＩＤやユーザーＩＤに基づいて重み値を変更して連結性指数を算出したりすることもできる。例えば、収集時刻が夜間（例えば、午後１０時から午前６時）である場合に、高い重み値を付与することができる。また、制御ユニット２７０は、収集した情報を伝送したユーザーの性別、年齢、職業などに応じて重み値を変え付与して連結性指数を算出することができる。重み値付けによる連結性指数の算出は、多様な形態や方法やアルゴリズムなどが有り得る。
【００７１】
制御ユニット２７０は、それぞれのアドレス別収集情報（アイテム）に連結性指数を算出した後に、この連結性指数に基づいて収集情報をフィルタリングしてラジオマップを構築する。
【００７２】
例えば、制御ユニット２７０は、アドレス（位置）ごとに、最も高い連結性指数を有する無線ＬＡＮフィンガープリントをアドレス（位置）にラベリングしてラジオマップのデータベースに格納する。ラジオマップは、アドレスとして無線ＬＡＮフィンガープリントをラベリングしたものか、さらに該当するアドレスに対応する位置として無線ＬＡＮフィンガープリントをラベリングしたものかであり得る。このとき、特定の地域を多数の位置の領域に分けて、それぞれの位置に対応する無線ＬＡＮフィンガープリントのペアを位置にラベリングして格納する。特定の位置は、任意のアドレスに対応することができる。ここでの位置は、座標系に基づく座標として特定される場合もあり、該当するアドレスの範囲内の特定のポイントは、例えば中心点に定められ得る。
【００７３】
ラジオマップのデータベースエントリは、アドレス（位置）と無線ＬＡＮフィンガープリントとのペアを少なくとも備え、各エントリのアドレスにラベリングされる無線ＬＡＮフィンガープリントは、設定された閾値以上の最高の連結性指数を有する収集情報の無線ＬＡＮフィンガープリントとして設定される。それに応じて、アドレス、及び無線ＬＡＮフィンガープリントの任意の収集に基づいて発生する多様なエラーをフィルタリングして信頼性の高いラジオマップを構築できるようにする。
【００７４】
以後、制御ユニット２７０は、処理要請を通信ユニット２１０を介して受信し構築されたラジオマップを活用して処理要請の無線ＬＡＮフィンガープリントの対応位置を推定し、推定された位置に基づいて処理要請を認証する。認証された結果は、ユーザー端末１００や他のサーバーに伝送される場合もあり、推定された位置（アドレス）に基づいて不正なトランザクションを検出することができる。
【００７５】
連携サーバー２００で行われる各種の制御は、図３及び図４を介してもう少し詳しく見ることにする。
【００７６】
図３は、収集された無線ＬＡＮフィンガープリントとアドレスの連携に基づいてラジオマップを構築する例としての制御フローを示す図である。図３は、連携サーバー２００によって遂行され、好ましくは、制御ユニット２７０によって他のブロックを制御することにより行われる。
【００７７】
まず、任意のユーザー端末１００は、無線ＬＡＮフィンガープリントを収集する（Ｓ１０１）。
【００７８】
たとえば、ユーザー端末１００は、オンラインショッピングアプリ、配送アプリ、物品注文アプリ等を駆動し、該当するアプリを介して物品等の配送が行われるアドレスを入力インターフェースを介して入力する。ユーザー端末１００のアプリは、アドレス入力時に備えられた無線ＬＡＮフィンガープリントのスキャンモジュール（プログラムモジュール）を駆動して１つ以上の無線ＬＡＮの識別子（例えば、ＢＳＳＩＤ）と無線ＬＡＮ信号強度とのペアを構成する。たとえば、ユーザー端末１００は、アドレス入力の完了時点から以前、以後又は前後の指定された時間の間、無線ＬＡＮ信号をスキャンして識別子と信号強度とのペアを含むフィンガープリントを構成することができる。
【００７９】
ユーザー端末１００は、収集情報を構成してこれをインターネットを通じて連携サーバー２００に伝送し、連携サーバー２００は、これを受信する（Ｓ１０３）。収集情報は、ユーザー端末１００での入力によって決定されるアドレスと、アドレスの入力時に収集される無線ＬＡＮ識別子と無線ＬＡＮ信号強度のペアを１つ以上含み、ユーザー端末１００に設置されたオンラインショッピングアプリ、配送アプリ、物品注文アプリのようにアドレスの入力が要求されるアプリからインターネットを通じて受信される。このようなアプリは、アドレス入力の受信前、受信後、又は受信前後の指定された時間の間（例えば、３０秒、１分など）の無線ＬＡＮ識別子と信号強度とのペアを収集する。
【００８０】
連携サーバー２００（の制御ユニット２７０）は、通信ユニット２１０を介して収集情報を受信し、これを格納ユニット２３０に格納する（Ｓ１０５）。例えば、連携サーバー２００（の制御ユニット２７０）は、収集情報のアドレスに対応する収集リストを格納ユニット２３０で検索して新規の収集アイテムを生成し、これを検索された収集リストに格納する。新規の収集アイテムは、収集情報の無線ＬＡＮフィンガープリントが含み、さらに収集時刻、端末ＩＤ及び/又はユーザーＩＤをさらに含む。収集時刻、端末ＩＤやユーザーＩＤも収集情報に含まれ得る。
【００８１】
このような構成を介して、連携サーバー２００（の制御ユニット２７０）は、各ラジオマップが構築される地域のそれぞれのアドレス別収集リストを構成し、これを格納する。それぞれの収集リストは、好ましくは、多数の収集アイテムを含み、それぞれの収集アイテムは、単一のユーザー又は複数のユーザーによって収集された無線ＬＡＮフィンガープリントを含み得る。
【００８２】
それぞれのアドレス別収集リストが構築され、それぞれの収集リストが指定された個数以上の個数を有したり収集期間が経過したりした場合に、連携サーバー２００（の制御ユニット２７０）は、アドレス別格納された複数の情報収集をこのアドレスに隣接するアドレスの複数の収集情報に基づいてフィルタリングする（Ｓ１０７）。
【００８３】
連携サーバー２００（の制御ユニット２７０）は、現在のフィルタリングが行われるアドレスと隣接するアドレスの無線ＬＡＮフィンガープリントとの間の類似性に基づいて、アドレス内の任意の無線ＬＡＮフィンガープリントをフィルタリングすることができる。
【００８４】
例えば、連携サーバー２００（の制御ユニット２７０）は、アドレス別複数の収集情報のそれぞれとこのアドレスへの連結性指数（例えばスコア(score)）を、隣接したアドレスの収集情報のそれぞれの無線ＬＡＮフィンガープリントを用いて算出し、算出された連結性指数に基づいて任意の収集情報をフィルタリングすることができる。
【００８５】
なお、連携サーバー２００（の制御ユニット２７０）は、アドレス別複数の収集情報の無線ＬＡＮフィンガープリントと対応アドレスへの連結性指数を、同一のアドレスの他の情報収集の無線ＬＡＮフィンガープリントをさらに利用して算出し、算出された連結性指数に基づいて任意の収集情報をフィルタリングすることができる。
【００８６】
具体的に見ると、連携サーバー２００（の制御ユニット２７０）は、アドレス別収集リストに対する隣接したアドレスリストを決定する。隣接したアドレスは、アドレス体系によって異なる場合があり、アドレステキストの類似性やアドレス構造に基づいて決定され得る。
【００８７】
連携サーバー２００（の制御ユニット２７０）は、すべてのアドレスごとに収集された収集リストのそれぞれの収集アイテムごとに連結性指数を算出する。
【００８８】
各アドレス別収集リストの各収集アイテムについて連結性指数を算出するために、連携サーバー２００（の制御ユニット２７０）は、収集アイテムの無線ＬＡＮフィンガープリントと隣接したアドレスの各収集リストのそれぞれの収集アイテムの無線ＬＡＮフィンガープリントとを比較し、比較対象の無線ＬＡＮフィンガープリントが類似した場合に、連結性指数を指定されたスコアだけ（例えば１ずつ）増加させ、類似していない場合に連結性指数を指定されたスコアだけ（例えば１ずつ）減少させる。
【００８９】
例えば、連携サーバー２００（の制御ユニット２７０）は、２つの無線ＬＡＮのフィンガープリントに共通する無線ＬＡＮ識別子が存在する場合に、連結性指数を１増加させ、共通の無線ＬＡＮ識別子が存在しない場合に、連結性指数を１減少させることができる。このような隣接したアドレスの無線ＬＡＮフィンガープリントとの比較を通して、現在検証が行われている収集アイテムと対応アドレスとの間の信頼性（連結性）を周辺の無線ＬＡＮフィンガープリントを活用して認識し、これによる連結性指数を算出することができる。
【００９０】
なお、連携サーバー２００（の制御ユニット２７０）は、収集アイテムの無線ＬＡＮフィンガープリントと同一のアドレスの収集リストの異なる収集アイテムの無線ＬＡＮフィンガープリントとを比較し、比較対象の無線ＬＡＮフィンガープリントが類似した場合に、連結性指数を指定されたスコアだけ（例えば１ずつ）増加させ、類似のしていない場合に、連結性指数を指定されたスコアだけ（例えば１ずつ）減少させる。
【００９１】
例えば、連携サーバー２００（の制御ユニット２７０）は、２つの無線ＬＡＮのフィンガープリントに共通する無線ＬＡＮ識別子が存在する場合に、連結性指数を１増加させ、共通の無線ＬＡＮ識別子が存在しない場合に、連結性指数を１減少させることができる。このような同一のアドレスの無線ＬＡＮフィンガープリントとの比較を通して、現在検証が行われている収集アイテムと対応アドレスとの間の信頼性（連結性）を同一のアドレスから収集された無線ＬＡＮフィンガープリントを活用・認識して、これによる連結性指数を算出することができる。
【００９２】
連結性指数の算出にあたって、連携サーバー２００（の制御ユニット２７０）は、アドレス別収集情報に含まれる収集時刻情報をさらに利用することができる。例えば、連携サーバー２００（の制御ユニット２７０）は、収集時刻に基づいて可変重み値を付与して加減することができる。
【００９３】
図５は、連結性指数を計算するための単純化された例としてのアルゴリズムを示し、プログラムで実装されて格納ユニット２３０に格納され、これを制御ユニット２７０が遂行して各収集アイテムごとに連結性指数を算出することができる。
【００９４】
図５を簡単に見てみると、格納ユニット２３０に収集された＜住所、フィンガープリント＞のペアの全体集合がＳ＝｛＜Ａ１、Ｆ１,１＞、＜Ａ１、Ｆ２,１＞、…、＜Ａ１、Ｆｍ１,１＞、＜Ａ２、Ｆ１,２＞、…、＜Ａ２、Ｆｍ２,２＞、…、＜Ａｎ、Ａ１,ｎ＞、…、＜Ａｎ、Ｆｍｎ,ｎ＞｝であり、アドレスＡｋで収集された＜住所、フィンガープリント＞のペアの集合がＳｋ＝｛＜Ａｋ、Ｆ１,ｋ＞、＜Ａｋ、Ｆ２,ｋ＞、…、＜Ａｋ、Ｆｍｋ,ｋ＞｝（ここでＳｋが収集リストに対応し、それぞれの＜住所、フィンガープリント＞のペアは、収集アイテムに対応される）であり、アドレスＡｋ周辺のアドレスで収集されたフィンガープリントの集合をＮ_Ａｋとするときに、図５のアルゴリズムは、＜住所、フィンガープリント＞のペアの連結性指数（スコア）Score（Ａｉ、Ｆｊ,ｉ）を算出して出力する。
【００９５】
まず、アルゴリズムは、集合内のすべての＜住所、フィンガープリント＞のペアの連結性指数を初期化する（（１）参照）。本明細書において、（１）乃至（５）は、丸数字の１乃至５を意味するものとする。
【００９６】
以後、集合Ｓ内のそれぞれの集合（Ｓｋ）について（（２）参照）、集合内のすべてのフィンガープリント（Ｆｐ,ｋ）を対象に、（（３）参照）連結性指数を算出する。
【００９７】
そしてアドレス（Ａｋ）と隣接したアドレス（Ｎ_Ａｋ）のフィンガープリント（Ｆｑ）のそれぞれ（（４）参照）と現在の連結性指数を算出しているフィンガープリント（Ｆｐ,ｋ）との比較を通して連結性指数を算出する（（５）参照）。例えば、２つのフィンガープリントが共通する無線ＡＰ（無線ＬＡＮ識別子）が存在する場合に、連結性指数（Ｓｃｏｒｅ(Ａｋ、Ｆｐ,ｋ)）を１増加させ、共通する無線ＡＰが存在しない場合に、その連結性指数を１減少させる。
【００９８】
アルゴリズムの（５）では、単に隣接したアドレスのフィンガープリント集合に対する比較から連結性指数を算出しているが、これに限定される必要はなく、多様な追加、変形例が存在する。たとえば、同一のアドレス（Ａｋ）内の他のフィンガープリントを現在のフィンガープリント（Ｆｐ,ｋ）とさらに比較して、共通の無線ＡＰの存在可否に応じて連結性指数を１増加させたり、１減少させたりすることができる。
【００９９】
なお、アルゴリズムは、連結性指数の加減に重み（weight）値を付与することができる。たとえば、現在のフィンガープリント（Ｆｐ,ｋ）の収集時刻が夜間時間帯（午後１０時から午前６時まで）に収集された場合に、より高い重み値を付与（例えば、１よりも大きい数字など）することができる。また、アルゴリズムは、フィンガープリント（Ｆｐ,ｋ）を収集したユーザーの年齢、性別、職業などによって異なる重み値を付与することができる。
【０１００】
本アルゴリズムが遂行完了されるにつれて、収集されたすべての無線ＬＡＮフィンガープリントの対応アドレスへの連結性指数が算出される。連結性指数が算出されることによって、少なくともそれぞれの無線ＬＡＮフィンガープリントと対応するアドレスとの間の計量化された信頼性を付与することができる。そして、この連結性指数は、隣から収集された無線ＬＡＮフィンガープリントとさらに同一のアドレスで収集された他の無線ＬＡＮフィンガープリントとを利用して、好ましく算出される。
【０１０１】
再び、図４を介して、その制御フローを見ると、連結性指数が算出されることによって連携サーバー２００（の制御ユニット２７０）は、連結性指数の値に基づいてアドレス別収集情報をフィルタリングし、その後でアドレス別フィルタリングされた収集情報を利用して、ラジオマップを構築する（Ｓ１０９）。
【０１０２】
例えば、連携サーバー２００（の制御ユニット２７０）は、アドレス別フィンガープリントの中で連結性指数が設定された閾値以上のフィンガープリントを、アドレスにラベリングしてデータベースに格納する。好ましくは、連携サーバー２００（の制御ユニット２７０）は、アドレス別フィンガープリントの中で連結性指数が設定されたしきい値以上であり、最も高い（大きい）フィンガープリントをアドレスにラベリングしてデータベースに格納する。データベースのエントリは、アドレス（又はアドレスに対応する位置）にラベリングされる無線ＬＡＮフィンガープリントを含み、この無線ＬＡＮフィンガープリントは、特定のアプリを介して収集され、該当するアドレスから収集されたという信頼性の高いフィンガープリントである。
【０１０３】
図４は、構築されたラジオマップを利用する１つのアプリケーションの例としての制御フローを示す図である。図４の制御フローは、連携サーバー２００で遂行されたり、ラジオマップの提供を受けたオンラインサーバー（たとえば、オンラインショッピングモールサーバーなど）で行われたりすることができる。
【０１０４】
まず、ユーザー端末１００は、備えられたアプリを介してサーバーと連動する（Ｓ２０１）。たとえば、ユーザー端末１００は、サーバーにログイン又は接続して各種の物品やサービスに対する情報をディスプレイ又は出力することができる。
【０１０５】
ユーザー端末１００は、入力インターフェースなどを介して処理要請を構成し、サーバーは、これを受信する（Ｓ２０３）。ユーザー端末１００の該当するアプリは、少なくとも無線ＬＡＮフィンガープリントを収集するように構成され、処理要請に、この無線ＬＡＮのフィンガープリントを含む。処理要請は、サーバーで特定のトランザクションを要求することであり得る。例えば処理要請は、特定の物品やサービスの購買要請等であり得る。
【０１０６】
サーバーは、構築されたラジオマップを利用して、処理要請に含まれている無線ＬＡＮフィンガープリントに対応する位置を推定する（Ｓ２０５）。たとえば、サーバーは、ラジオマップの各エントリのフィンガープリントと受信された無線ＬＡＮフィンガープリントとの間の類似度に基づいて処理要請が行われた特定の位置を推定することができる。
【０１０７】
サーバーは、推定位置に基づいて、受信された処理要請を認証する（Ｓ２０７）。たとえば、サーバーは、ユーザー端末１００の過去の処理要請の推定位置及び要請時刻と現在の処理要請の推定位置及び要請時刻とをそれぞれ比較して、両方の推定位置が一定の距離（たとえば、１００km）以上離れていて要請時刻が指定された時間（例えば１０分）以内である場合に、不正なトランザクションの発生可能性が大きいと判定することができる。そうでない場合は、サーバーは、推定位置からの判定では、正当な処理要請であると決定することができる。
【０１０８】
サーバーは、処理要請の認証に対する応答を生成し、これをユーザー端末１００に伝送し（Ｓ２０９）、処理要請を内部プロセスを介して処理する。
【０１０９】
以上で説明した本発明は、本発明が属する技術分野における通常の知識を有する者にとっては、本発明の技術的思想から逸脱しない範囲内で、多様な置換、変形及び変更が可能であるため、前述した実施形態及び添付された図面によって限定されるものではない。
【図１】
2021513659.tif 000003
【図２】
2021513659.tif 000004
【図３】
2021513659.tif 000005
【図４】
2021513659.tif 000006
【図５】
2021513659.tif 000007
【国際調査報告】
2021513659.tif 000008
2021513659.tif 000009
2021513659.tif 000010
2021513659.tif 000011